(57)【要約】【課題】ワイヤハーネスを、吸音シートを利用して少ない部品点数で簡便に位置決め固定することができる、新規な構造のワイヤハーネス固定用吸音シートおよび吸音シート付ワイヤハーネス並びに吸音シート付ワイヤハーネスの固定構造を提供すること。【解決手段】ワイヤハーネス１２と、シート状に形成されて一方の面が非接着面１８とされ他方の面が剥離紙２４で覆われた接着面２０とされてなる、同一形状の少なくとも２枚のワイヤハーネス固定用吸音シート１４とを有し、一方のワイヤハーネス固定用吸音シート１４ａの剥離紙２４が剥がされて露呈させた接着面２０上にワイヤハーネス１２が載置されている一方、他方のワイヤハーネス固定用吸音シート１４ｂが、ワイヤハーネス１２を間に挟んで、非接着面１８側で、一方のワイヤハーネス固定用吸音シート１４ａの接着面２０に対して重ね合されて密着固定されているようにした。【選択図】図１
2018144560.tif 000002
【特許請求の範囲】
【請求項１】
ワイヤハーネスと、
シート状に形成されて一方の面が非接着面とされ他方の面が剥離紙で覆われた接着面とされてなる、同一形状の少なくとも２枚のワイヤハーネス固定用吸音シートとを有し、
一方の前記ワイヤハーネス固定用吸音シートの前記剥離紙が剥がされて露呈させた前記接着面上に前記ワイヤハーネスが載置されている一方、
他方の前記ワイヤハーネス固定用吸音シートが、前記ワイヤハーネスを間に挟んで、前記非接着面側で、前記一方の前記ワイヤハーネス固定用吸音シートの前記接着面に対して重ね合されて密着固定されている
ことを特徴とする吸音シート付ワイヤハーネス。
【請求項２】
前記ワイヤハーネス固定用吸音シートには、同じ位置にそれぞれ治具挿通孔が厚さ方向に貫通して設けられており、前記一方の前記ワイヤハーネス固定用吸音シートの前記治具挿通孔と、前記他方の前記ワイヤハーネス固定用吸音シートの前記治具挿通孔が、前記ワイヤハーネス固定用吸音シートの重ね合せ方向で連接されている請求項１に記載の吸音シート付ワイヤハーネス。
【請求項３】
前記ワイヤハーネス固定用吸音シートの前記剥離紙には、前記治具挿通孔に対応した貫通穴と、前記剥離紙の剥離方向に平行でかつ前記貫通穴の径方向両側に延びる一対のスリットが、前記貫通穴に開口して設けられている請求項２に記載の吸音シート付ワイヤハーネス。
【請求項４】
前記ワイヤハーネス固定用吸音シートの前記接着面が、接着剤が塗布されていない素地領域を有しており、前記二つの前記ワイヤハーネス固定用吸音シートの前記素地領域同士が重ね合されて固定具を用いて固定されている請求項１〜３の何れか１項に記載の吸音シート付ワイヤハーネス。
【請求項５】
前記剥離紙が、前記接着面より外方に向かって突出する把持部を有している請求項１〜４の何れか１項に記載の吸音シート付ワイヤハーネス。
【請求項６】
前記請求項１〜５の何れか１項に記載の吸音シート付ワイヤハーネスを用い、
前記他方の前記ワイヤハーネス固定用吸音シートの前記剥離紙が剥がされて露呈された前記接着面が、固定対象に対して密着固定されている
ことを特徴とする吸音シート付ワイヤハーネスの固定構造。
【請求項７】
前記請求項１〜５の何れか１項に記載の吸音シート付ワイヤハーネスの製造に用いられるワイヤハーネス固定用吸音シートであって、
シート状に形成されて一方の面が非接着面とされ他方の面が剥離紙で覆われた接着面とされており、
同一形状の少なくとも２枚の前記ワイヤハーネス固定用吸音シートが、前記接着面を同じ方向に配向した状態で重ね合されて用いられるものである
ことを特徴とするワイヤハーネス固定用吸音シート。
【発明の詳細な説明】
【技術分野】
【０００１】
本発明は、ワイヤハーネスを車体等の固定対象に固定するために用いられるワイヤハーネス固定用吸音シート、および当該吸音シートが取り付けられた吸音シート付ワイヤハーネス、並びに当該吸音シート付ワイヤハーネスの固定構造に関するものである。
【背景技術】
【０００２】
従来から、自動車等において、様々な電子機器に電力や各種制御信号を伝えるためにワイヤハーネスが用いられている。かかるワイヤハーネスは、車両用ドアやルーフやフロア等といった場所に配索されており、車体パネルとトリムの間に収容されて位置決め固定された状態で組み付けられるようになっている。
【０００３】
ところで、車体パネルの外部から車室内に伝達される騒音を吸収して車室内の静粛性を実現するために、車体パネルとトリムの間に吸音シートが配設されている場合があるが、例えば特開２０１６−２１０３３９号公報（特許文献１）に示されているように、車体パネルとトリムの間に配設されるワイヤハーネスをかかる吸音シートと一体化して、組み付ける構造が知られている。具体的には、２枚のシート材の間にワイヤハーネスを挟持することが提案されており、一方のシート材が吸音シートで形成された吸音シートによって構成されており、他方のシート材が、ワイヤハーネスを吸音シートに対して固定するために吸音シートに貼付される薄膜シートによって構成されている。このような構造を採用することにより、車体パネルの外部から車室内に伝達される騒音を吸音シートで低減しつつ、ワイヤハーネスを所定位置に保持することが可能となる。
【０００４】
ところが、特許文献１に記載のワイヤハーネスの配索構造では、車体パネルとトリムの間に配設される吸音シートの他、新たにワイヤハーネスを吸音シートに固定するための、吸音シートよりも小さく形成された薄膜シートが必要とされていることから、２種類のシート材を準備する必要があり、部品管理の煩雑化やコストアップが避けられないという問題を内在していた。
【０００５】
加えて、吸音シートを車体パネルとトリムの間に設けられた固定対象等にクランプ等で固定する必要があり、さらなる部品点数や作業工数の増大が避けられなかった。また、車両の小型化・高密度化の影響により、クランプ等の固定穴が設けられない場合もあり、吸音シートと一体化したワイヤハーネスの固定が困難となるおそれもあった。
【先行技術文献】
【特許文献】
【０００６】
【特許文献１】特開２０１６−２１０３３９号公報
【発明の概要】
【発明が解決しようとする課題】
【０００７】
本発明は、上述の事情を背景に為されたものであって、その解決課題は、ワイヤハーネスを、吸音シートを利用して少ない部品点数で簡便に位置決め固定することができる、新規な構造のワイヤハーネス固定用吸音シートおよび吸音シート付ワイヤハーネス並びに吸音シート付ワイヤハーネスの固定構造を提供することにある。
【課題を解決するための手段】
【０００８】
吸音シート付ワイヤハーネスに関する本発明の第一の態様は、ワイヤハーネスと、シート状に形成されて一方の面が非接着面とされ他方の面が剥離紙で覆われた接着面とされてなる、同一形状の少なくとも２枚のワイヤハーネス固定用吸音シートとを有し、一方の前記ワイヤハーネス固定用吸音シートの前記剥離紙が剥がされて露呈させた前記接着面上に前記ワイヤハーネスが載置されている一方、他方の前記ワイヤハーネス固定用吸音シートが、前記ワイヤハーネスを間に挟んで、前記非接着面側で、前記一方の前記ワイヤハーネス固定用吸音シートの前記接着面に対して重ね合されて密着固定されていることを特徴とする。
【０００９】
本態様によれば、同一の構成で同一形状のワイヤハーネス固定用吸音シートを少なくとも２つを用い、それら２つのワイヤハーネス固定用吸音シートの一方の接着面を露呈させ、ワイヤハーネスを間に挟んで他方のワイヤハーネス固定用吸音シートの非接着面を密着固定させるという簡単な構造により、１種類のワイヤハーネス固定用吸音シートを２つ準備するのみで、ワイヤハーネスを吸音シートに対して位置決め固定することができる。それゆえ、従来必要とされた、吸音シート以外のシート材が不要となり、部品管理を簡素化して、部品点数の削減やコスト低減を図ることができる。
【００１０】
しかも、本態様の吸音シート付ワイヤハーネスによれば、ワイヤハーネスに取り付けられた吸音シートの表面側に剥離紙で覆われた接着面が配設されている。これにより、追加の固定具等を必要とすることなく、剥離紙を剥がして露呈させた接着面を、車体パネルやトリム等の固定対象に密着固定するだけで、ワイヤハーネスを固定対象に対して位置決め固定することが可能となる。
【００１１】
このように、本態様の吸音シート付ワイヤハーネスによれば、１種類のワイヤハーネス固定用吸音シートを接着面の配向を揃えた状態でワイヤハーネスを間に挟んで重ね合わせるだけの簡単な構造で、吸音性能を確保しつつ少ない部品点数でワイヤハーネスの位置決め固定が可能となるのである。
【００１２】
吸音シート付ワイヤハーネスに関する本発明の第二の態様は、前記第一の態様に記載の吸音シート付ワイヤハーネスにおいて、前記ワイヤハーネス固定用吸音シートには、同じ位置にそれぞれ治具挿通孔が厚さ方向に貫通して設けられており、前記一方の前記ワイヤハーネス固定用吸音シートの前記治具挿通孔と、前記他方の前記ワイヤハーネス固定用吸音シートの前記治具挿通孔が、前記ワイヤハーネス固定用吸音シートの重ね合せ方向で連接されているものである。
【００１３】
本態様によれば、同一形状のワイヤハーネス固定用吸音シートにおいて、同じ位置に治具挿通孔が貫設されている。それゆえ、ワイヤハーネス配索用の図板上に設けられた位置決め治具から突出する位置決めピンを両方のワイヤハーネス固定用吸音シートの治具挿通孔に挿通配置するだけで、ワイヤハーネスに対する両ワイヤハーネス固定用吸音シートの位置決めや、ワイヤハーネス固定用吸音シート同士の位置決めを一括して行うことができ、吸音シート付ワイヤハーネスの製造効率の向上を図ることができる。
【００１４】
吸音シート付ワイヤハーネスに関する本発明の第三の態様は、前記第二の態様に記載の吸音シート付ワイヤハーネスにおいて、前記ワイヤハーネス固定用吸音シートの前記剥離紙には、前記治具挿通孔に対応した貫通穴と、前記剥離紙の剥離方向に平行でかつ前記貫通穴の径方向両側に延びる一対のスリットが、前記貫通穴に開口して設けられているものである。
【００１５】
本態様によれば、各ワイヤハーネス固定用吸音シートの治具挿通孔に対して、ワイヤハーネス配索用の図板上に設けられた位置決め治具から突出する位置決めピンを挿通した状態で、剥離紙を剥離する作業を行う場合に、剥離方向に平行な径方向両側に延びるスリットが剥離シートの貫通孔に開口して設けられている。それゆえ、剥離紙に対する位置決めピンのひっかかりがスリットによって回避されて、治具挿通孔に位置決めピンを挿通配置させた状態で、剥離紙の剥離を容易に行うことができ、作業性の向上に寄与することができる。
【００１６】
吸音シート付ワイヤハーネスに関する本発明の第四の態様は、前記第一乃至第三の何れか１つの態様に記載の吸音シート付ワイヤハーネスにおいて、前記ワイヤハーネス固定用吸音シートの前記接着面が、接着剤が塗布されていない素地領域を有しており、前記二つの前記ワイヤハーネス固定用吸音シートの前記素地領域同士が重ね合されて固定具を用いて固定されているものである。
【００１７】
本態様によれば、ワイヤハーネス固定用吸音シートが、接着剤が塗布されていない素地領域をそれらの接着面に有し、素地領域同士が重ね合されて固定具を介して相互に固定されている。それゆえ、例えば、接着材がはがれやすい、ワイヤハーネス固定用吸音シートの周縁領域では、接着剤ではなくて固定具を用いて両ワイヤハーネス固定用吸音シート同士を相互に固定することができる。
【００１８】
吸音シート付ワイヤハーネスに関する本発明の第五の態様は、前記第一乃至第四の何れか１つの態様に記載の吸音シート付ワイヤハーネスにおいて、前記剥離紙が、前記接着面より外方に向かって突出する把持部を有しているものである。
【００１９】
本態様によれば、剥離紙が接着面よりも外方に突出する把持部を有していることから、剥離紙の把持部を摘んで、接着面からの剥離紙の接着面からの剥離を容易に行うことが可能となる。
【００２０】
吸音シート付ワイヤハーネスの固定構造に関する本発明の第一の態様は、前記第１乃至第５の何れか１つの態様に記載の吸音シート付ワイヤハーネスを用い、前記他方の前記ワイヤハーネス固定用吸音シートの前記剥離紙が剥がされて露呈された前記接着面が、固定対象に対して密着固定されていることを特徴とする。
【００２１】
本態様によれば、第１乃至第５の何れか１つの態様に記載の吸音シート付ワイヤハーネスを用いていることから、吸音シートに対するワイヤハーネスの位置決めを少ない部品点数で効率よく行うことができ、従来必要とされた、吸音シート以外のシート材が不要となり、部品管理を簡素化して、部品点数の削減やコスト低減を図ることができる。
【００２２】
しかも、本態様の吸音シート付ワイヤハーネスの固定構造によれば、他方のワイヤハーネス固定用吸音シートの剥離紙が剥がされて露呈された接着面を、固定対象に密着固定することで、吸音シートや吸音シートを介したワイヤハーネスの固定対象への固定が完成する。それゆえ、追加の固定具等を必要とすることなく、剥離紙を剥がして露呈させた接着面を、車体パネルやトリム等の固定対象に密着固定するだけで、ワイヤハーネスを固定対象に対して位置決め固定することが可能となる。
【００２３】
ワイヤハーネス固定用吸音シートに関する本発明の第一の態様は、前記第１乃至第５の何れか１つの態様に記載の吸音シート付ワイヤハーネスの製造に用いられるワイヤハーネス固定用吸音シートであって、シート状に形成されて一方の面が前記非接着面とされ他方の面が前記剥離紙で覆われた前記接着面とされており、同一形状の少なくとも２枚の前記ワイヤハーネス固定用吸音シートが、前記接着面を同じ方向に配向した状態で重ね合されて用いられるものであることを特徴とする。
【００２４】
本態様によれば、第１乃至第５の何れか１つの態様に記載の吸音シート付ワイヤハーネスを用いていることから、吸音シートに対するワイヤハーネスの位置決めを少ない部品点数で効率よく行うことができ、従来必要とされた、吸音シート以外のシート材が不要となり、部品管理を簡素化して、部品点数の削減やコスト低減を図ることができる。
【発明の効果】
【００２５】
本発明によれば、同一の構成で同一形状のワイヤハーネス固定用吸音シートを少なくとも２つを用い、一方のワイヤハーネス固定用吸音シートの一方の接着面を露呈させ、ワイヤハーネスを間に挟んで他方のワイヤハーネス固定用吸音シートの非接着面を密着固定させるだけで、ワイヤハーネスを吸音シートに対して位置決め固定できる。それゆえ、従来必要とされた吸音シート以外のシート材が不要となり、部品点数の削減やコスト低減ができる。しかも、ワイヤハーネスに取り付けられた吸音シートの表面側に剥離紙で覆われた接着面が配設されていることから、追加の固定具等を必要とすることなく、剥離紙を剥がして露呈させた接着面を車体パネルやトリム等の固定対象に密着固定するだけで、ワイヤハーネスを固定対象に対して位置決め固定できる。このような簡単な構造で、吸音性能を確保しつつ少ない部品点数でワイヤハーネスの位置決め固定が可能となる。
【図面の簡単な説明】
【００２６】
【図１】本発明の第一の実施形態としての吸音シート付ワイヤハーネスを示す斜視図。
【図２】本実施形態の分解図と、製造に用いる治具を示す斜視図。
【図３】本実施形態に用いられるワイヤハーネス固定用吸音シートを示す側面図。
【図４】本実施形態の製造方法を示す斜視図（（ａ）一方のワイヤハーネス固定用吸音シートが位置決め治具に載置された状態、（ｂ）剥離紙が剥がされて露呈させた接着面上にワイヤハーネスが載置された状態、（ｃ）他方のワイヤハーネス固定用吸音シートがワイヤハーネスを間に挟んで一方のワイヤハーネス固定用吸音シートの接着面に対して重ね合されて密着固定された状態）。
【図５】本実施形態の吸音シート付ワイヤハーネスを用いた吸音シート付ワイヤハーネスの固定構造を示す側面図。
【図６】本実施形態に用いられるワイヤハーネス固定用吸音シートの他の態様を示す斜視図。
【図７】本実施形態に用いられるワイヤハーネス固定用吸音シートの別の態様を説明するための斜視図であって、図２に相当する図。
【図８】本発明の第二の実施形態としての吸音シート付ワイヤハーネスに用いられるワイヤハーネス固定用吸音シートを示す斜視図。
【図９】図８に示すワイヤハーネス固定用吸音シートを用いた本実施形態の吸音シート付ワイヤハーネスを示す斜視図であって、図１に相当する図。
【図１０】図９の側面図。
【発明を実施するための形態】
【００２７】
以下、本発明の実施形態について、図面を参照しつつ説明する。
【００２８】
図１〜５には、本発明の第一の実施形態としての吸音シート付ワイヤハーネス１０が示されている。吸音シート付ワイヤハーネス１０は、図示しない複数の電線が結束されてなるワイヤハーネス１２と、同一形状の２枚のワイヤハーネス固定用吸音シート１４とを有している。なお、理解を容易とするため、図１では、ワイヤハーネス１２を仮想線で記載している。また、以下の説明において、上方とは、図１〜５中の上方、下方とは、図１〜５中の下方、また前方とは、図５中の左方、後方とは、図５中の右方を言うものとする。
【００２９】
先ず、図２〜３に示されているように、ワイヤハーネス固定用吸音シート１４は、シート状に形成された吸音材１６上の一方の面である裏面が非接着面１８とされて吸音材１６が露呈されている一方、他方の面である表面が接着面２０とされた構造を有しており、かかる接着面２０の全面に亘って、例えば合成ゴム系などの粘着剤が塗布されてなる粘着部２２が形成されている。ここで、吸音材１６は、例えば、ポリプロピレン系繊維やポリエチレンテレフタレート系繊維やガラス系繊維等によって形成された不織布、ウレタン等の合成樹脂材料からなる連続気泡体あるいはフェルト等から構成されている。さらに、ワイヤハーネス固定用吸音シート１４の粘着部２２上には全面に亘ってシート状の剥離紙２４が貼付されており、接着面２０が剥離紙２４で覆われている。ここで、吸音材１６と接着面２０と粘着部２２と剥離紙２４は平面視で同一形状とされている。なお、剥離紙２４としては、例えば上質紙などの基材上にＰＥ（ポリエチレン）樹脂などからなる目止め層を介してシリコーン系などの剥離剤がコーティングされて形成されたものや、ＰＥＴ（ポリエチレンテレフタレート）樹脂などからなるシート状の基材上にシリコーン系などの剥離剤がコーティングされたものが用いられる。また、図３では、理解を容易にするために、ワイヤハーネス固定用吸音シート１４を構成する粘着部２２と剥離紙２４を厚さ方向（図３中、上下方向）に拡大して記載している。
【００３０】
また、ワイヤハーネス固定用吸音シート１４は、図２に示されているように平面視で略横長矩形形状を有しており、長手方向（図２〜３中、左右方向）の両側にはそれぞれ幅方向（図３中、紙面に垂直方向）に離隔して一対の略円形断面形状の治具挿通孔２６，２６が厚さ方向（図２〜３中、上下方向）に貫通して設けられている。加えて、ワイヤハーネス固定用吸音シート１４の剥離紙２４には、治具挿通孔２６に対応した略円形断面形状の貫通穴２８と、剥離紙２４の剥離方向（図２〜３中、左右方向）に平行でかつ貫通穴２８の径方向両側に延びる一対のスリット３０，３０が、貫通穴２８に開口するように設けられている。
【００３１】
このような形状とされたワイヤハーネス固定用吸音シート１４を用いて、本実施形態の吸音シート付ワイヤハーネス１０を製造する方法について、図１〜２および図４を用いて、説明する。先ず、位置決め治具３２を準備する。かかる位置決め治具３２は、例えば、図示しないワイヤハーネス配索用の図板上に設けられて用いられる。より詳細には、位置決め治具３２は、上方に向かって開口する平面視で略横長矩形状の箱体形状とされており、平面視で略横長矩形平板状の底壁３４と、底壁３４の周縁部の全周に亘って上方に向かって略一定の突出寸法で突出する略平板状の側壁３６を備え、合成樹脂材料等によって形成されている。これにより、位置決め治具３２は、底壁３４と側壁３６によって囲まれ上方に向かって開口する平面視で略横長矩形状の収容部３８を備えている。また、位置決め治具３２の長手方向（図２中、左右方向）に対向する両側壁３６にはそれぞれ、正面視で略矩形状の切欠部４０が上方に向かって開口するように形成されている。さらに、位置決め治具３２の底壁３４の長手方向（図２中、左右方向）の両側にはそれぞれ、幅方向に離隔して一対の略円柱形状の位置決めピン４２，４２が上方に向かって側壁３６と略同じ高さ寸法になるように突設されている。
【００３２】
次に、このような形状とされた位置決め治具３２の収容部３８に対して、上方から、同一形状の２枚のワイヤハーネス固定用吸音シート１４のうちの一方のワイヤハーネス固定用吸音シート１４ａを挿入する（図２および図４（ａ）参照）。なお、この際、一方のワイヤハーネス固定用吸音シート１４ａに設けられた治具挿通孔２６に対して、位置決め治具３２の収容部３８に突設された位置決めピン４２を挿通して載置することにより、一方のワイヤハーネス固定用吸音シート１４ａが位置決め治具３２の収容部３８内に位置決め配置されるようになっている。かかる位置決め配置された状態において、一方のワイヤハーネス固定用吸音シート１４ａの接着面２０を覆う剥離紙２４が、位置決め治具３２の切欠部４０の底面４４よりもやや上側に位置するように位置決め治具３２が形成されている。これにより、一方のワイヤハーネス固定用吸音シート１４ａの剥離紙２４の剥離や、一方のワイヤハーネス固定用吸音シート１４ａの接着面２０に対するワイヤハーネス１２の確実な載置が可能となっている。
【００３３】
続いて、かかる位置決め配置された一方のワイヤハーネス固定用吸音シート１４ａの剥離紙２４を、図４（ａ）に示されているように前方側（図４（ａ）中、左側）から後方側（図４（ａ）中、右側）に向かって剥がして接着面２０を露呈させる（図４（ｂ）参照）。この際、剥離紙２４の治具挿通孔２６に対応した貫通穴２８には、剥離紙２４の剥離方向（図４（ａ）中、左右方向）に平行でかつ貫通穴２８の径方向両側に延びる一対のスリット３０，３０が貫通穴２８に開口して設けられている。それゆえ、剥離紙２４を剥がす際に位置決め治具３２の位置決めピン４２に引っ掛かることがスリット３０によって回避されるようになっていることから、位置決め配置された一方のワイヤハーネス固定用吸音シート１４ａの剥離紙２４の剥離を容易に行うことができ、作業性の向上に寄与できるようになっている。
【００３４】
そして、図４（ｂ）に示されているように、一方のワイヤハーネス固定用吸音シート１４ａの剥離紙２４が剥がされて露呈させた接着面２０上にワイヤハーネス１２を載置する。これにより、ワイヤハーネス１２が、位置決め治具３２の長手方向の両端部に設けられた切欠部４０および幅方向に離隔して設けられた一対の位置決めピン４２，４２間を挿通して配設されることから、ワイヤハーネス１２を容易に位置決め配置できるようになっている。続いて、図４（ｂ）〜（ｃ）に示されているように、他方のワイヤハーネス固定用吸音シート１４ｂを、ワイヤハーネス１２が位置決め配置された一方のワイヤハーネス固定用吸音シート１４ａの接着面２０上に、上方から非接着面１８側を一方のワイヤハーネス固定用吸音シート１４ａに向けた状態で載置する。これにより、他方のワイヤハーネス固定用吸音シート１４ｂが、ワイヤハーネス１２を間に挟んで、非接着面１８側で、一方のワイヤハーネス固定用吸音シート１４ａの接着面２０に対して重ね合されて密着固定されるようになっている。すなわち、同一形状の２つのワイヤハーネス固定用吸音シート１４ａ，１４ｂが接着面２０を同じ上方に向けた状態で重ね合されて用いられている。ここで、２つのワイヤハーネス固定用吸音シート１４ａ，１４ｂにはそれぞれ、同じ位置に治具挿通孔２６が厚さ方向に貫通して設けられていることから、２つのワイヤハーネス固定用吸音シート１４ａ，１４ｂの治具挿通孔２６はそれぞれワイヤハーネス固定用吸音シート１４ａ，１４ｂの重ね合せ方向（図１〜２，４中、上下方向) で連接されるようになっている。なお、例えばかかる重ね合された状態でさらに他方のワイヤハーネス固定用吸音シート１４ｂを下方に向かって押圧することにより、一方のワイヤハーネス固定用吸音シート１４ａの接着面２０とワイヤハーネス１２および他方のワイヤハーネス固定用吸音シート１４ｂの非接着面１８間の密着固定をより確実なものとすることができる。そして、最後に、位置決め治具３２の収容部３８から取り出すことにより、ワイヤハーネス固定用吸音シート１４を用いた本実施形態の吸音シート付ワイヤハーネス１０が完成されるようになっているのである。
【００３５】
次に、このように形成された吸音シート付ワイヤハーネス１０を用いて、ワイヤハーネス１２を固定対象である例えばドアトリム４６に対して固定する吸音シート付ワイヤハーネス１０の固定構造について、図５を用いて、説明する。かかる吸音シート付ワイヤハーネス１０の固定構造は、図１に示す本実施形態の吸音シート付ワイヤハーネス１０の他方のワイヤハーネス固定用吸音シート１４ｂの剥離紙２４を剥がして、図５に示すように露呈された接着面２０を固定対象であるドアトリム４６に対して密着固定することによって実行される。これにより、吸音シート付ワイヤハーネス１０は、ドアトリム４６に対して密着固定されると共に、ドアトリム４６とドアパネル４８の間に配設されるようになっている。
【００３６】
このような構成とされた本実施形態の吸音シート付ワイヤハーネス１０によれば、同一形状の２つのワイヤハーネス固定用吸音シート１４を用いて、一方のワイヤハーネス固定用吸音シート１４ａの剥離紙２４が剥がされて露呈させた接着面２０上にワイヤハーネス１２を載置した後、他方のワイヤハーネス固定用吸音シート１４ｂをワイヤハーネス１２を間に挟んで非接着面１８側で一方のワイヤハーネス固定用吸音シート１４ａの接着面２０に対して重ね合せて密着固定させるという簡単なやり方により、吸音シート付ワイヤハーネス１０を構成することが可能となっている。このように、同一形状の２つのワイヤハーネス固定用吸音シート１４ａ，１４ｂを接着面２０が同じ上方を向いた状態でワイヤハーネス１２を間に挟んで重ね合せるだけで本実施形態の吸音シート付ワイヤハーネス１０を容易に形成することができ、従来の如き吸音シート以外のシート材を必要とすることがなくなることから、部品点数が削減されると共に部品管理が簡素化され、コスト低減を図ることができるようになっている。
【００３７】
また、同一形状の２つのワイヤハーネス固定用吸音シート１４ａ，１４ｂは同じ位置に治具挿通孔２６が貫設されていることから、例えば図示しないワイヤハーネス配索用の図板上に設けられた位置決め治具３２から突出する位置決めピン４２を両方のワイヤハーネス固定用吸音シート１４ａ，１４ｂの治具挿通孔２６に挿通配置するだけで、ワイヤハーネス１２に対する両ワイヤハーネス固定用吸音シート１４ａ，１４ｂの位置決めや、ワイヤハーネス固定用吸音シート１４ａ，１４ｂ同士の位置決めを一括して行うことができる。それゆえ、吸音シート付ワイヤハーネス１０を構成するワイヤハーネス固定用吸音シート１４ａ，１４ｂおよびワイヤハーネス１２を容易に位置決め配置することができることから、吸音シート付ワイヤハーネス１０を容易に形成することができ、製造効率の向上を図ることができる。
【００３８】
さらに、本実施形態の吸音シート付ワイヤハーネス１０の固定構造によれば、他方のワイヤハーネス固定用吸音シート１４ｂの剥離紙２４を剥がして露呈された接着面２０を固定対象であるドアトリム４６に対して密着固定することによって、ワイヤハーネス１２の固定対象への固定が完了するようになっている。このように、従来の如きクランプ等の追加の固定用部材等を必要とすることなくかつ容易に、ワイヤハーネス１２を固定対象に対して位置決め固定することが可能となっている。また、吸音シート付ワイヤハーネス１０がドアトリム４６に対して密着固定されるようになっていることから、例えば予め別ラインでドアトリム４６に対して吸音シート付ワイヤハーネス１０等を組み付けておき、かかるモジュール化されたドアトリム４６をドアパネル４８に対して取り付けることにより、作業効率の向上を図ることができる。
【００３９】
加えて、本実施形態の吸音シート付ワイヤハーネス１０の製造に用いられるワイヤハーネス固定用吸音シート１４は、シート状に形成された吸音材１６上の一方の面である裏面が非接着面１８とされ他方の面である表面が接着面２０とされた構造を有している。それゆえ、２枚のワイヤハーネス固定用吸音シート１４ａ，１４ｂを接着面２０が同じ上方を向いた状態でワイヤハーネス１２を間に挟んで重ね合せて位置決め固定するだけで、本実施形態の吸音シート付ワイヤハーネス１０を容易に製造することができ、さらには吸音シート付ワイヤハーネスの固定構造を有利に提供することができる。
【００４０】
以上、本発明の複数の実施形態について詳述したが、本発明はこれらの具体的な記載によって限定されない。例えば、上記第一の実施形態の吸音シート付ワイヤハーネス１０におけるワイヤハーネス固定用吸音シート１４では、剥離紙２４は平面視で接着面２０とほぼ同形状とされていた（図２参照）が、図６に示されている他の態様のワイヤハーネス固定用吸音シート５０のように、剥離紙５２が長手方向（図６中、左右方向）の両端部において、接着面２０の幅方向中央部より長手方向外方に向かって突出する平面視略矩形状の把持部５４を有していてもよい。これにより、剥離紙５２の把持部５４を摘んで接着面２０から剥離紙５２を剥離することが容易にできるようになっている。なお、把持部５４は、剥離紙５２が長手方向の一端部に設けられていてもよいし、剥離紙５２が長手方向の端部において接着面２０より幅方向外方に向かって突出するように形成されていてもよい。
【００４１】
また、上記第一の実施形態の吸音シート付ワイヤハーネス１０におけるワイヤハーネス固定用吸音シート１４は、回転対称とされていたが、図７に示されている別の態様のワイヤハーネス固定用吸音シート５６のように、例えば治具挿通孔２６を１つ取り除くことによって非回転対称としてもよい。この際、取り除かれた治具挿通孔２６に対応する剥離紙５８の貫通穴２８と一対のスリット３０，３０および位置決め治具６０の位置決めピン４２も取り除かれている。これにより、同一形状の２つのワイヤハーネス固定用吸音シート５６ａ，５６ｂを正規の向きに容易に位置決め配置してワイヤハーネス１２を間に挟んだ状態で重ね合わせることが確実にできるようになっている。なお、非回転対称となる構成は図７に示す態様に限定されず、任意の非回転対称となる構成が採用可能である。
【００４２】
また、上記第一の実施形態の吸音シート付ワイヤハーネス１０におけるワイヤハーネス固定用吸音シート１４では、接着面２０の全面に亘って粘着剤が塗布されてなる粘着部２２が形成されていたが、図８〜１０に示されている第二の実施形態の吸音シート付ワイヤハーネス６２におけるワイヤハーネス固定用吸音シート６４のように、ワイヤハーネス固定用吸音シート６４の接着面２０が、接着剤が塗布されておらずかつ剥離紙６６が貼付されていない素地領域６８を有していてもよい（図８参照）。そして、図９〜１０に示されているように、２つのワイヤハーネス固定用吸音シート６４ａ，６４ｂをワイヤハーネス１２を間に挟んだ状態で素地領域６８同士を重ね合わせて、固定具であるタグピン７０を用いて固定することにより、本実施形態の吸音シート付ワイヤハーネス６２が構成されるようになっている。なお、図１０に示されているように、タグピン７０は、２つのワイヤハーネス固定用吸音シート６４ａ，６４ｂを厚さ方向に貫通する軸部７２と、軸部７２の両端部において径方向両側に延び出して軸部７２の抜け出しを防止する係止部７４を備えて構成されている。これにより、例えば、接着材がはがれやすい、ワイヤハーネス固定用吸音シート６４の周縁領域において素地領域６８を設けることにより、接着剤ではなくて固定具であるタグピン７０を用いて２つのワイヤハーネス固定用吸音シート６４ａ，６４ｂを相互に固定することができるようになっている。
【００４３】
さらに、上記第一および第二の実施形態の吸音シート付ワイヤハーネス１０，６２ではそれぞれ、２つのワイヤハーネス固定用吸音シート１４，６４を有して構成されていたが、吸音シート付ワイヤハーネス１０，６２に要求される吸音性能に応じて、一方のワイヤハーネス固定用吸音シート１４ａ，６４ａの下面や他方のワイヤハーネス固定用吸音シート１４ｂ，６４ｂの上面の一方あるいは両方に対して、追加の１つあるいは複数のワイヤハーネス固定用吸音シート１４，６４を接着して吸音性能を確保するようにしてもよい。
【００４４】
加えて、上記第一の実施形態の吸音シート付ワイヤハーネス１０の固定構造では、吸音シート付ワイヤハーネス１０は固定対象であるドアトリム４６に対して密着固定されていたが、ドアパネル４８に対して密着固定されるようになっていてもよいし、あるいはワイヤハーネス１２が配索されているルーフやフロア等に密着固定されるようになっていてもよい。
【符号の説明】
【００４５】
１０，６２：吸音シート付ワイヤハーネス、１２：ワイヤハーネス、１４，５０，５６，６４：ワイヤハーネス固定用吸音シート、１４ａ，５６ａ，６４ａ：一方のワイヤハーネス固定用吸音シート、１４ｂ，５６ｂ，６４ｂ：他方のワイヤハーネス固定用吸音シート、１８：非接着面、２０：接着面、２４，５２，５８，６６：剥離紙、２６：治具挿通孔、２８：貫通穴、３０：スリット、４６：ドアトリム（固定対象）、５４：把持部、６８：素地領域、７０：タグピン（固定具）
【図１】
2018144560.tif 000003
【図２】
2018144560.tif 000004
【図３】
2018144560.tif 000005
【図４】
2018144560.tif 000006
【図５】
2018144560.tif 000007
【図６】
2018144560.tif 000008
【図７】
2018144560.tif 000009
【図８】
2018144560.tif 000010
【図９】
2018144560.tif 000011
【図１０】
2018144560.tif 000012